(57)【特許請求の範囲】
【請求項１】
メッシュシート材および前記メッシュシート材の反対側に貼り付けられた２つの膜を含み、それによって前記メッシュシート材は前記２つの膜を支持し、前記メッシュシート材および前記２つの膜は複合構造となるように連携し、少なくとも１つの膜は化学的害虫忌避剤を保有し、前記害虫忌避剤は前記複合構造を通ってシロアリの通過を阻止し、前記害虫忌避剤は前記メッシュシート材に付随している複合害虫バリア。
【請求項２】
前記少なくとも１つの膜は、前記膜によって保有された前記害虫忌避剤を供給するために害虫忌避材料が含まれている請求項１に記載の複合害虫バリア。
【請求項３】
前記少なくとも１つの膜は、前記膜によって保有された前記害虫忌避剤を供給するためにそこへ適用された害虫忌避材料を有する請求項１に記載の複合害虫バリア。
【請求項４】
両方の膜が害虫忌避剤を保有する請求項１〜３のいずれかに記載の複合害虫バリア。
【請求項５】
前記２つの膜のうちの１つだけが害虫忌避剤を保有する請求項１〜３のいずれかに記載の複合害虫バリア。
【請求項６】
もう一方の前記膜が、前記複合害虫バリアを取り扱う人を、害虫忌避剤に直接接触することから保護する保護膜として作用する請求項５に記載の複合害虫バリア。
【請求項７】
前記２つの膜は、前記２つの膜の間の視覚の識別のために着色された請求項１〜６のいずれかに記載の複合害虫バリア。
【請求項８】
前記少なくとも１つの膜は、柔軟なプラスチック材料のシートを含む請求項１〜７のいずれかに記載の複合害虫バリア。
【請求項９】
前記２つの膜は、それぞれ柔軟なプラスチック材料のシートを含む請求項８に記載の複合害虫バリア。
【請求項１０】
前記メッシュシート材は金属メッシュを含む請求項１〜９のいずれかに記載の複合害虫バリア。
【請求項１１】
前記金属メッシュはステンレス鋼メッシュを含む請求項１０に記載の複合害虫バリア。
【請求項１２】
前記メッシュシート材は横剛性を有し、それによって前記複合害虫バリアを維持され得る形状に形成することが可能となる請求項１〜１１のいずれかに記載の複合害虫バリア。
【請求項１３】
各々の膜は空気および湿気が換気および排水のために通過することのできる細孔を有する請求項１〜１２のいずれかに記載の複合害虫バリア。
【請求項１４】
前記害虫忌避剤は前記バリアに接近および／または接触する害虫を忌避するための組成物を含む請求項１〜１３のいずれかに記載の複合害虫バリア。
【請求項１５】
前記害虫忌避剤は前記バリアに接近および／または接触するシロアリを忌避するための組成物を含む請求項１〜１３のいずれかに記載の複合害虫バリア。
【請求項１６】
前記害虫忌避剤がシロアリ防除剤を含む請求項１〜１３のいずれかに記載の複合害虫バリア。
【発明の詳細な説明】
【技術分野】
【０００１】
本発明は、害虫防除、より詳細には複合害虫バリア、ならびに建造物およびその他の構造物のこのような害虫からの保護に関する。
【０００２】
本発明による害虫バリアは、特にシロアリバリアとして考案されたものであるが、それはその他の害虫、特にクモ、およびアリなどの昆虫を含む、這う害虫用のバリアとしても機能することができる。
【背景技術】
【０００３】
次の背景技術の考察は、本発明の理解を容易にすることだけを意図する。この考察は、言及される任意の材料が、出願の優先日の時点での共通一般知識の一部であるか、または一部であったことを確認または承認するものではない。
【０００４】
シロアリによる建造物およびその他の構造物への侵入を防止または抑制するためのバリアに対して、様々な提案がなされている。一般に、これらのバリアは、化学的バリアまたは物理的バリアのいずれかを含む。
【０００５】
化学的バリアは、何年にもわたって使用されてきたが、最近では、化学バリアを構築するために特定の化学薬品を使用することに起因する健康への懸念から、物理的なバリアが好まれる傾向がある。とりわけ、この懸念は、化学的バリアを構築する目的で化学薬品が送達される様式（一般に長時間持続する保護作用を得るために十分な用量の殺虫剤を流し込むこと、散布することまたは注入することによる）に関する。
【０００６】
化学的バリアの構築において化学薬品の送達への懸念に取り組むことを視野に入れて、膜の中に組み込まれた化学薬品および所定の位置に置かれるその他の配置（それにより化学薬品の散布、流し込みまたは注入の必要性が回避される）に対する提案がなされてきた。
【０００７】
物理的バリアは、様々な形態をとることができ、それには、ステンレス鋼メッシュおよびグレーデッド・ストーン（ｇｒａｄｅｄ  ｓｔｏｎｅ）が挙げられる。ステンレス鋼メッシュバリアは、特に有効であることが証明された。しかし、コストは、特定の用途では懸念点であり得る。
【０００８】
この背景および問題ならびにそれに関連する困難さに対して、本発明が開発された。
【発明の概要】
【０００９】
本発明の第１の態様によれば、メッシュシート材およびメッシュシート材に付随している害虫忌避剤を含む複合害虫バリアが提供される。
【００１０】
好ましくは、メッシュシート材は、織られたメッシュシート材を含む。しかし、それは任意のその他の適した形態をとってもよく、その形態として、例えばメッシュ構造をもたらす細孔を有するシート材が含まれる。
【００１１】
メッシュシート材は、任意の適切な材料、例えば、金属、プラスチック材料、織物材料またはそれらの組合せから形成されてよい。
【００１２】
害虫忌避剤は、害虫抵抗性材料を含んでよい。害虫抵抗性材料は、害虫忌避剤および／または駆除剤を含んでよい。より詳細には、害虫抵抗性材料は、シロアリ防除の場合にはシロアリ防除剤を含んでよい。
【００１３】
害虫忌避剤は、任意の適した方法でメッシュに付随していてよい。害虫忌避剤がメッシュシート材に付随することのできる様々な配置を以下に概説する。
【００１４】
１つの配置では、害虫忌避剤は、メッシュシート材に適用された膜を含んでよく、当該膜は害虫抵抗性材料を保有する。当該膜はプラスチックシート材からなってよい。当該膜は、害虫抵抗性材料を含浸させることにより、かつ／または害虫抵抗性材料を適用することにより、害虫抵抗性材料を保有することができる。
【００１５】
このような膜は２つ存在してよく、その場合、メッシュシート材のそれぞれの側に１つの膜が適用されている。
【００１６】
あるいは、メッシュシート材の対向する面上に２つの膜が存在してよく、１つの膜は害虫抵抗性材料を保有し、もう１つの膜は複合害虫バリアを取り扱う人をバリア内の害虫忌避剤に直接接触することから保護する働きをする。
【００１７】
もう１つの配置では、害虫忌避剤は、メッシュに適用された害虫抵抗性材料を含むことができる。この配置によって、害虫抵抗性材料を、メッシュに適用された被膜中に含浸させることができる。被膜は、任意の適した方法でメッシュに適用されてよい。例えば、被膜は、当該メッシュの片面に被膜を積層することによるか、またはそれをメッシュの上に塗布することにより適用することができる。メッシュが織られたストランドを含む場合、被膜をストランドに適用してよい。ストランドは、織られてメッシュを形成するよりも前に、または後にコーティングされてよい。
【００１８】
被膜は、任意の適した材料であってよい。被膜は、例えば、ポリエチレンおよびポリプロピレンなどの熱可塑性材料、ならびに特定のナイロンおよびポリオレフィンを含むプラスチック材料を含み得る。また、被膜は、ポリウレタンなどの特定の熱硬化性プラスチック材料および特定のポリエステルであってもよい。また、被膜は、発泡プラスチック材料も含み得る。さらに、被膜は金属被膜を含み得る。
【００１９】
被膜は、粉体塗装として適用されてよい。
【００２０】
さらに別の配置では、害虫忌避剤は、メッシュシート材自体に組み込まれてよい。例えば、害虫忌避剤は、特にメッシュシート材がプラスチック材料である場合に、メッシュシート材に含浸させた害虫抵抗性材料を含むことができる。害虫抵抗性材料はメッシュシート材の全てまたはその一部分に含浸させてよい。メッシュシート材がプラスチック材料で形成されている場合、害虫抵抗性材料を当該プラスチック材料に含浸させてよい。
【００２１】
保護膜は、メッシュシート材の片面に適用することができる。そのような配置において、当該保護膜は、複合害虫バリアを取り扱う人が害虫忌避剤を組み込んでいるメッシュシート材に触れないようにするために提供され得る。具体的には、当該保護膜は、複合害虫バリアを取り扱う人を、害虫忌避剤に直接接触することから保護する働きをすることになる。従って、保護膜は、一般に害虫忌避剤を全く含有しない、または少なくとも存在するどの害虫忌避剤も取り扱い目的に安全であると考えられるレベルである。
【００２２】
このような保護膜は２つ存在してよく、その場合、メッシュシート材のそれぞれの側に１つの膜が適用されている。
【００２３】
あるいは、メッシュシート材の対向する面上に２つの膜が存在してよく、１つの膜は害虫抵抗性材料を保有し、もう１つの膜は複合害虫バリアを取り扱う人をバリア内の害虫忌避剤に直接接触することから保護する働きをする保護膜である。
【００２４】
本発明の第２の態様によれば、メッシュシート材およびメッシュシート材の片面に適用された膜を含む複合害虫バリアが提供され、当該膜は害虫抵抗性材料を保有する。
【００２５】
本発明の第２の態様による複合害虫バリアは、メッシュシート材のもう一方の面に適用されたさらなる膜をさらに含む。当該さらなる膜も害虫抵抗性材料を保有することが好ましい。
【００２６】
本発明の第３の態様によれば、メッシュシート材を含む複合害虫バリアが提供され、メッシュシート材はシロアリ忌避剤を含浸させた材料を含む。好ましくは、メッシュシート材はプラスチック材料を含む。
【００２７】
本発明の第４の態様によれば、メッシュシート材、およびメッシュシート材に被膜として適用された害虫忌避剤を含む複合害虫バリアが提供される。害虫忌避剤は、害虫抵抗性材料で含浸させてよい。
【００２８】
本発明の第５の態様によれば、メッシュシート材（該メッシュシート材はストランドを含む）、およびストランドに適用された害虫忌避剤を含む複合害虫バリアが提供される。害虫忌避剤は、害虫抵抗性材料を含浸させた被膜としてストランド（ｓｔａｎｄｓ）に適用することができる。
【００２９】
本発明の第６の態様によれば、メッシュシート材およびメッシュシート材に付随している害虫忌避剤を含む複合シロアリバリアが提供され、当該害虫忌避剤はシロアリ防除剤を含む。
【００３０】
本発明の第７の態様によれば、メッシュシート材およびメッシュシート材の片面に適用された膜を含む複合害虫バリアが提供され、当該膜は複合害虫バリアを取り扱う人をバリア内の害虫忌避剤に直接接触することから保護する働きをする。
【００３１】
本発明の第８の態様によれば、メッシュシート材の２つの層間に挿入された害虫忌避剤を含む積層構造の複合害虫バリアが提供される。
【００３２】
害虫忌避剤は、メッシュシート材の２つの層間に挿入された内層に付随してよい。当該内層は、害虫忌避剤を含浸させた膜を含んでよい。膜は繊維ブランケットを含んでよい。
【００３３】
本発明は、添付の説明図に示される、以下のその様々な具体的な実施形態の記述を参照することにより、さらによく理解される。
【図面の簡単な説明】
【００３４】
【図１】第１の実施形態による複合バリアの斜視図である。
【図２】第１の実施形態による複合バリアの倍尺の部分概略斜視図である。
【図３】第１の実施形態による複合バリアの分解斜視図である。
【図４】第２の実施形態による複合バリアの斜視図である。
【図５】第２の実施形態による複合バリアの分解斜視図である。
【図６】第３の実施形態による複合バリアの部分透視図である。
【図７】第４の実施形態による複合バリアの部分透視図である。
【図８】第５の実施形態による複合バリアの斜視図である。
【図９】第５の実施形態による複合バリアの倍尺の部分概略斜視図である。
【図１０】第５の実施形態による複合バリアの分解斜視図である。
【発明を実施するための形態】
【００３５】
実施形態は、建造物およびその他の構造物をシロアリから保護するためのシロアリバリアに関する。実施形態によるシロアリバリアは、任意の適切な方法で建造物およびその他の構造物に設置することができ、その一部の典型例には、オーストラリア特許第６３９２５６号および第６９６４３６号に記載および図解される設置が含まれる。
【００３６】
ここで図１、２および３を参照すると、メッシュシート１３および当該メッシュシート１３の片面に接着されることによって貼り付けられた膜１５を含む複合シロアリバリア１０が示される。実際には、膜１５はメッシュシート１３の片面に積層されている。一般に、膜が接着しているメッシュシートの面全体を膜が覆うように、膜１５の周辺端部をメッシュシート１３の周辺端部と一直線に合わせる。
【００３７】
この実施形態では、メッシュシート１３は、金属メッシュ、一般にステンレス鋼メッシュを含む。当然、プラスチックメッシュを含むその他の形態のメッシュを使用してもよい。
【００３８】
膜１５は、ポリエチレンまたはポリプロピレンなどの柔軟なプラスチック材料のシートを含む。膜１５には、シロアリ防除剤などのシロアリに抵抗する製品が含浸されている。シロアリ防除剤（ｔｅｒｍｉｔｉｃｉｄｅ）は、任意の適切な形態、例えば、デルタメトリン、ビフェントリン、ペルメトリンまたは効果のある天然植物抽出物などであってよい。その他の効果のあるシロアリ防除剤も当然使用してよい。さらに、シロアリに抵抗する製品は必ずしもシロアリ防除剤である必要はない。それは、例えば、バリアに接近および／または接触するとシロアリを忌避する働きをする製品であってよい。
【００３９】
添付の説明図には示されていないが、膜１５は、必要に応じて空気および湿気が換気および排水のために通過することのできる細孔を有することができる。
【００４０】
上述の設置が記載および図解されるオーストラリア特許第６３９２５６号および第６９６４３６号のシロアリバリアでは、シロアリバリア材料は、使用環境の崩壊に抵抗性があり、シロアリ分泌物に対して実質的に抵抗性がある材料のメッシュシートからなり、約ショアＤ７０以上の硬度を有する。前記メッシュの細孔の線寸法は、どの方向にも、防除されるシロアリ種の頭部の横断面の最大線寸法よりも小さい。
【００４１】
この実施形態では、あまり頑丈でないメッシュ材料を、メッシュシート１３として利用することができる。実際に、メッシュ材料がシロアリ分泌に抵抗性があり、防除するシロアリが通過することができないサイズの細孔を有することは必要ではない。この不必要であるという理由は、膜１５の効果によって生じる。より具体的には、膜１５にシロアリ防除剤が存在することにより、シロアリが複合バリア１０に接近することが阻止され、このように、メッシュシート１３は、本質的にシロアリの通過に抵抗するほど十分に頑丈であることは必須ではない。同様に、メッシュがそれによって防除されるシロアリの通過を防ぐために十分に小さな細孔サイズを有することも必須ではない。言い換えれば、メッシュシート１３は、本質的に物理的なバリアを提供する必要はないが、シロアリの通過を阻止するために膜のシロアリ防除剤とともに機能する。抑止効果は、複合シロアリバリア１０に接近するシロアリを撃退すること、またあるいは複合シロアリバリアに接触しているシロアリを死滅させることによって得られる。
【００４２】
メッシュシート１３は、柔軟な膜１５の支持構造を提供する。
【００４３】
メッシュシート１３は、多少の固有の横剛性を有する。そのために、それがシロアリバリア１０中に存在することによって、バリアを維持され得る形状（ｃｏｎｆｉｇｕｒａｔｉｏｎｓ）に形成することが可能となる。例えば、それらは特定の設置に必要である折り目および折りじわをシロアリバリア１０に形成することができる。
【００４４】
メッシュシート１３は、本質的にシロアリの通過に抵抗できるものである必要がないので、費用効果の高い合金仕様（または同様）のメッシュ材料を使用することができ、それによってより費用効果の高いシロアリバリアを提供することができる。さらに、このシロアリバリア１０は、金属含有量が少ないためにより低質量であり得る。
【００４５】
膜１５は、識別目的のために着色してよい。実際に、実施形態によるシロアリバリア１０には、多様な色彩の膜１５が与えられ得る。
【００４６】
図面には示されていないが、保護膜もメッシュシート１３に適用することができる。保護膜は、複合害虫バリア１０を取り扱う人を害虫忌避剤に触れないようにさせる目的で備えられ得る。保護膜は、複合害虫バリアを取り扱う人を害虫忌避剤に直接接触することから保護する働きをする。従って、保護膜は一般に害虫忌避剤を全く組み込んでいないか、または少なくとも存在するどの害虫忌避剤も取り扱う目的に安全であると考えられるレベルである。
【００４７】
ここで図４および図５を参照すると、第２の実施形態によるシロアリバリア２０は、第１の実施形態に類似し、そのため対応する参照番号は、対応する部分を識別するために用いられる。この第２の実施形態には、メッシュシート１３の反対側に貼り付けられたさらなる膜２１が含まれる。この実施形態では、さらなる膜２１は、一般に膜１５と同じ構造のものであり、シロアリ防除剤などのシロアリに抵抗する製品を含浸させている。あるいは、さらなる膜２１は、複合害虫バリア２０に手を触れている人物を害虫忌避剤に直接接触することから保護する働きをする保護膜を含んでよい。
【００４８】
ここで図６を参照すると、第３の実施形態による複合シロアリバリア３０は、複数の折られた線ストランド３３（そのうちの１つだけが図示される）を有するメッシュシート３１を含む。各々のストランド３３は、シロアリ防除剤などのシロアリに抵抗する製品を含浸させた被膜３５を有する。被膜３５は、ストランド３３上の比較的薄皮の形態である。被膜３５は、金属皮膜を含む任意の適切な形態であってよい。
【００４９】
被膜３５は、必要な耐蝕性をもたらすと同時に費用効果の高い合金仕様または同様の材料のメッシュシート３１への使用を許容し得る。
【００５０】
ここで図７を参照すると、第４の実施形態による複合シロアリバリア４０は、複数の織られた線ストランド４３（そのうちの１つだけが図示される）を有するメッシュシート４１を含む。各々のストランド４３は、シロアリ防除剤などのシロアリに抵抗する製品を含浸させた被膜４５を有する。この実施形態では、図示されるように、各々のストランド４３は相対的に細い金属線を含み、被膜４５はストランドの直径と比較して相対的に厚い。この実施形態では、被膜４５はプラスチック被膜である。当然、被膜は、発泡材料などの任意のその他の適した材料であってよい。
【００５１】
第３および第４の実施形態では、被膜は識別目的のために着色されてよい。
【００５２】
ここで図８、９および１０を参照すると、２枚のメッシュシート５２間に挿入された害虫忌避剤５１を含む、第５の実施形態による複合シロアリバリア５０が示される。複合シロアリバリア５０は、２枚のメッシュシート５２が外層５３を構成し、その２枚の外層間に内層５４が挿入されている積層構造である。内層５４は、シロアリ防除剤などのシロアリに抵抗する製品を含浸させた層を含み、害虫忌避剤５１を備える。内層５４は、繊維ブランケットの形態の膜を含んでよい。
【００５３】
適切な場合、第３、第４および第５の実施形態による複合シロアリバリアは、第１および第２の実施形態に関して記載されるように、保護膜を組み込んでよい。保護膜は、複合害虫バリアを取り扱う人を害虫忌避剤に直接接触することから保護する働きをする。
【００５４】
前述の内容から、様々な実施形態により、メッシュ構造およびシロアリに対する化学的忌避剤を伴う複合シロアリバリアが提供されることは明白である。メッシュ構造は、必ずしも物理的なバリアだけを提供するものでなく、シロアリの通過を阻止する化学薬品とともに機能する。抑止効果は、バリアに接近するシロアリを撃退すること、バリアに接触しているシロアリを死滅させること、あるいはシロアリを撃退することと死滅させることの両方の組合せによって得られる。
【００５５】
メッシュ構造と化学薬品の組合せによって、物理的なバリアのみの場合、あるいは化学的バリアのみ場合よりも、一定の利点を有し得る効果的なバリアが得られる。例えば、複合バリアは、安価な材料を使用する結果としてステンレス鋼メッシュバリアよりも費用効果の高いことがあり得る。さらに、複合バリアは、その構造の一部として駆除剤などの化学製品を使用しているが、散布、流し込みまたは注射などの危険な送達プロセスを経由して害虫防除が求められる場所でも、化学製品の送達を必要としない。
【００５６】
本明細書および特許請求の範囲を通じて、文脈上ほかの意味に解釈するべき場合を除き、「含む」という語またはその変化形、例えば「含む（ｃｏｍｐｒｉｓｅｓ）」または「含んでいる（ｃｏｍｐｒｉｓｉｎｇ）」は、述べられた整数または整数の群を含むことを意味するが、任意のその他の整数または整数の群を排除するものでないと理解される。
【図１】
0005819815.tif 000002
【図２】
0005819815.tif 000003
【図３】
0005819815.tif 000004
【図４】
0005819815.tif 000005
【図５】
0005819815.tif 000006
【図６】
0005819815.tif 000007
【図７】
0005819815.tif 000008
【図８】
0005819815.tif 000009
【図９】
0005819815.tif 000010
【図１０】
0005819815.tif 000011